(57)【特許請求の範囲】
【請求項１】
協調して送受信を行う複数のセルと送受信を行う無線通信端末装置であって、
前記複数のセルのうち、前記無線通信端末装置宛ての制御情報を送信する第１セル以外のセルのＩＤの中で、前記第１セルのＩＤに最も近いＩＤ、最も遠いＩＤ、最大のＩＤ、最小のＩＤ、又は、パスロスが最大のセルのＩＤを選択するセル選択手段と、
選択された前記セルのＩＤに基づくＺＣ系列を用いて、参照信号を生成するＺＣ系列生成手段と、
生成された前記参照信号を送信する送信手段と、
を具備する無線通信端末装置。
【請求項２】
協調して送受信を行う複数のセルと送受信を行う無線通信端末装置であって、
前記複数のセルのうち、実際にデータを送受信するセル以外のセルのＩＤの中で、最大のＩＤ、最小のＩＤ、又は、パスロスが最大のセルのＩＤを選択するセル選択手段と、
選択された前記セルのＩＤに基づくＺＣ系列を用いて、参照信号を生成するＺＣ系列生成手段と、
生成された前記参照信号を送信する送信手段と、
を具備する無線通信端末装置。
【請求項３】
協調して送受信を行う複数のセルと送受信を行う無線通信端末装置であって、
前記複数のセルのうち、パスロスが最大のセルのＩＤを選択するセル選択手段と、
選択された前記セルのＩＤに基づくＺＣ系列を用いて、参照信号を生成するＺＣ系列生成手段と、
生成された前記参照信号を送信する送信手段と、
を具備する無線通信端末装置。
【請求項４】
複数のセルが協調して無線通信端末装置と送受信を行う無線通信方法であって、
前記複数のセルのうち、前記無線通信端末装置宛ての制御情報を送信する第１セル以外のセルのＩＤの中で、前記第１セルのＩＤに最も近いＩＤ、最も遠いＩＤ、最大のＩＤ、最小のＩＤ、又は、パスロスが最大のセルのＩＤを選択し、
選択された前記セルのＩＤに基づくＺＣ系列を用いて、参照信号を生成し、
生成された前記参照信号を送信する、
無線通信方法。
【請求項５】
複数のセルが協調して無線通信端末装置と送受信を行う無線通信方法であって、
前記複数のセルのうち、実際にデータを送受信するセル以外のセルのＩＤの中で、最大のＩＤ、最小のＩＤ、又は、パスロスが最大のセルのＩＤを選択し、
選択された前記セルのＩＤに基づくＺＣ系列を用いて、参照信号を生成し、
生成された前記参照信号を送信する、
無線通信方法。
【請求項６】
複数のセルが協調して無線通信端末装置と送受信を行う無線通信方法であって、
前記複数のセルのうち、パスロスが最大のセルのＩＤを選択し、
選択された前記セルのＩＤに基づくＺＣ系列を用いて、参照信号を生成し、
生成された前記参照信号を送信する、
無線通信方法。
【発明の詳細な説明】
【技術分野】
【０００１】
本発明は、無線通信端末装置及び無線通信方法に関する。
【背景技術】
【０００２】
３ＧＰＰ ＬＴＥ（3rd Generation Partnership Project Long Term Evolution）の発展形であるＬＴＥ−Ａｄｖａｎｃｅｄの上り回線（ＵＬ:Uplink）では、ＵＬ ＣｏＭＰ（Coordinated multiple point transmission and reception）の導入が検討されている。ＣｏＭＰは、複数のセル（基地局）間で協調して無線通信端末装置（以下、「端末」という）からの信号を送受信することにより、主にセルエッジに位置する端末のスループット向上を目的とする技術である。ＵＬ ＣｏＭＰは、１つの端末から送信された信号を複数のセル（基地局）で受信し、それらの信号を合成することにより受信品質を向上させる。なお、セル間干渉の影響を低減するため、ＣｏＭＰセット（協調して送受信するセルのグループ）内では、セル間干渉が増加しないように、複数のセル間で協調して、端末をスケジューリングする。【０００３】
非特許文献１では、ＵＬ ＣｏＭＰの性能改善効果をより得るために、ＵＬ ＣｏＭＰを適用する端末、つまり、送信信号が複数セルで受信及び合成される端末（以下、「ＣｏＭＰ端末」という）とＵＬ ＣｏＭＰを適用しない端末（以下、「Ｎｏｎ−ＣｏＭＰ端末」という）とのＭＵ−ＭＩＭＯ（Multiple User - Multiple Input Multiple Output）を導入することが議論されている。ＭＩＭＯは、送受信局に複数のアンテナを装備し、同一周波数で異なる信号系列の同時空間多重化伝送を可能とする技術である。また、ＭＵ−ＭＩＭＯは、複数の端末と基地局とでＭＩＭＯ通信を行う技術で、システムの周波数利用効率を向上させることができる。【０００４】
ＭＵ−ＭＩＭＯ通信において、異なる端末の信号を分離するためには、端末間で直交したデータ復調用参照信号（以下、「ＤＭ−ＲＳ」という）を送信する必要がある。ＣｏＭＰを行わない従来のＬＴＥの上り回線では、Ｎｏｎ−ＣｏＭＰ端末同士でのＭＵ−ＭＩＭＯが採用されており、ＤＭ−ＲＳとして、端末間で直交したＣＳ−ＺＣ（Cyclic Shifted Zadoff-Chu）系列を用いる。ＣＳ−ＺＣ系列は、ＺＣ系列を巡回シフトさせた系列であり、巡回シフト量として、端末の送信信号の最大伝搬遅延時間より大きい値を設定することにより、同じ系列番号のＺＣ系列を巡回シフトさせた複数のＣＳ−ＺＣ系列を直交させることができる。また、ＬＴＥのＵＬでは、セル内で利用可能な送信帯域幅毎のＤＭ−ＲＳ用のＺＣ系列番号を定義した系列グループを構成し、各セルに１つの系列グループを割り当てる。基地局は、系列グループ番号をセル内の端末に報知することで、送信帯域幅が変わることによるＤＭ−ＲＳ用のＺＣ系列番号のシグナリングを省略できる。なお、系列グループは３０定義されており、セル間干渉を低減するため、近接するセルに異なる系列グループを割り当てる。【０００５】
しかし、ＬＴＥのＤＭ−ＲＳをそのままＣｏＭＰ端末に適用すると、以下に述べるように、ＣｏＭＰ端末とＮｏｎ−ＣｏＭＰ端末のＤＭ−ＲＳが直交しない場合が生じ、ＭＵ−ＭＩＭＯ時の受信性能が劣化してしまう。図１に示すように、ある１つのＣｏＭＰ端末が送信するＤＭ−ＲＳは複数のセル（基地局）で受信する。複数セルで受信したＤＭ−ＲＳは、１つの端末が送信した同一の信号であるため、図１のセル２のように、ＣｏＭＰ端末とＮｏｎ−ＣｏＭＰ端末のＤＭ−ＲＳ用のＺＣ系列番号が異なるセルが生じる。系列番号が異なるＺＣ系列は直交しないため、このセルでは、端末間で干渉（相互相関）が生じ、ＭＵ−ＭＩＭＯ時の受信性能が劣化してしまう。【０００６】
非特許文献１には、ＣｏＭＰ端末とＮｏｎ−ＣｏＭＰ端末のＤＭ−ＲＳを直交化させるため、ウォルシュ（Walsh）系列を用いることが記載されている。ＬＴＥでは、図２に示すように、１サブフレームで２つのＤＭ−ＲＳを送信するが、それら２つのＤＭ−ＲＳのそれぞれに系列長２のウォルシュ系列（（１，１）あるいは（１，−１））を乗算する。受信側では、２つのＤＭ−ＲＳに、送信側と同じウォルシュ系列を乗算し、乗算後のＤＭ−ＲＳを同相加算する。２つのＤＭ−ＲＳ間でチャネルの時間変動がなければ、この同相加算処理によって異なるウォルシュ系列を乗算したＤＭ−ＲＳ（干渉成分）が逆相になり、完全に干渉を打ち消すことができる。ＬＴＥのように、近接セルで系列グループ番号（系列番号）が異なる場合でも、チャネルの時間変動がなければ、異なるウォルシュ系列をＤＭ−ＲＳに乗算することで直交化できる。【０００７】
また、非特許文献１には、ＣｏＭＰ端末のＤＭ−ＲＳ生成に用いる系列グループは、ＣｏＭＰセット内で使われる系列グループ（ＬＴＥと同じ３０グループ）から１つを選択することが示されているが、その具体的な選択方法は示されていない。なお、Ｎｏｎ−ＣｏＭＰ端末と同様に、自端末に向けて制御情報を送信するセル（サービングセル（Serving cell））が用いる系列グループを選択することが考えられる。
【先行技術文献】
【非特許文献】
【０００８】
【非特許文献１】3GPP R1-091760, Nokia Siemens Networks, Nokia,“Uplink DM RS from CoMP viewpoint”
【発明の概要】
【発明が解決しようとする課題】
【０００９】
しかしながら、２つのＤＭ−ＲＳ間でチャネルの時間変動があると、ウォルシュ系列による直交性が崩れ、ＣｏＭＰ端末とＮｏｎ−ＣｏＭＰ端末間で干渉が生じる。チャネルの時間変動があると、２つのＤＭ−ＲＳの干渉成分の位相と振幅が変わるため、受信側での２つのＤＭ−ＲＳの同相加算処理において、干渉成分が完全に逆相にならず、干渉成分が残ってしまう。【００１０】
このようなＣｏＭＰ端末とＮｏｎ−ＣｏＭＰ端末のＤＭ−ＲＳの符号間干渉が大きいと、ＭＵ−ＭＩＭＯ通信における各端末のデータの分離が困難となり、受信性能が大きく劣化してしまう。【００１１】
本発明の目的は、ＣｏＭＰ端末とＮｏｎ−ＣｏＭＰ端末のＤＭ−ＲＳの符号間干渉を低減する無線通信端末装置及び無線通信方法を提供することである。
【課題を解決するための手段】
【００１２】
本発明の無線通信端末装置は、協調して送受信を行う複数の基地局と送受信を行う無線通信端末装置であって、前記複数の基地局のうち、前記無線通信端末装置宛ての制御情報を送信する基地局以外の基地局を選択する基地局選択手段と、選択された前記基地局に割り当てられているＺＣ系列を用いて、参照信号を生成するＺＣ系列生成手段と、生成された前記参照信号を送信する送信手段と、を具備する構成を採る。【００１３】
本発明の無線通信方法は、複数の基地局が協調して無線通信端末装置と送受信を行う無線通信方法であって、前記複数の基地局のうち、前記無線通信端末装置宛ての制御情報を送信する基地局以外の基地局を選択し、選択された前記基地局に割り当てられているＺＣ系列を用いて、参照信号を生成し、生成された前記参照信号を送信する、ようにした。
【発明の効果】
【００１４】
本発明によれば、ＣｏＭＰ端末とＮｏｎ−ＣｏＭＰ端末のＤＭ−ＲＳの符号間干渉を低減することができる。
【図面の簡単な説明】
【００１５】
【図１】ＣｏＭＰ端末とＮｏｎ−ＣｏＭＰ端末とがＭＵ−ＭＩＭＯを行う様子を示す図
【図２】ウォルシュ系列を用いたＤＭ−ＲＳを示す図
【図３】本発明の実施の形態１に係る端末の構成を示すブロック図
【図４】本発明の実施の形態１に係る基地局の構成を示すブロック図
【図５】図３及び図４に示した系列情報設定部の動作を示すフロー図
【図６】本発明の実施の形態２に係る端末の構成を示すブロック図
【図７】図６に示した系列情報設定部の動作を示すフロー図
【図８】セル選択部がセルＩＤを選択する様子を示す図
【図９】本発明の実施の形態３に係る端末の構成を示すブロック図
【図１０】図９に示した系列情報設定部の動作を示すフロー図
【発明を実施するための形態】
【００１６】
本発明者は、次の２点に着目して本発明に想到した。１つ目は、ウォルシュ系列の直交性が崩れることによって生じる端末間（ＣｏＭＰ端末とＮｏｎ−ＣｏＭＰ端末）のＤＭ−ＲＳ符号間干渉は、２つの端末のＤＭ−ＲＳが同じ系列グループ（系列番号）を用いた場合に大きいことである。同じ系列グループ（系列番号）を用いたＤＭ−ＲＳ間の相関特性は、自己相関特性となるため、異なる系列番号間の相互相関特性に比べて、最大相関値が非常に高くなる。
【００１７】
２つ目は、端末と基地局間のパスロスが小さいほど、ウォルシュ系列の直交性が崩れることによる干渉が大きいことである。ＣｏＭＰ端末は信号を所定の電力で送信し、その信号を複数の基地局が受信する。この場合、ＣｏＭＰ端末と基地局間のパスロスが小さいほど、受信レベルがより大きくなる。よって、ウォルシュ系列の直交性が崩れることによって干渉が生じる場合、パスロスが小さいほど干渉電力がより大きくなる。
【００１８】
これらの点に着目して想到した本発明の実施の形態について、以下、図面を参照して詳細に説明する。ただし、実施の形態において、同一機能を有する構成には同一符号を付し、重複する説明は省略する。
【００１９】
（実施の形態１）
図３は、本発明の実施の形態１に係る端末の構成を示すブロック図である。この図において、系列情報設定部１０１は、ＣｏＭＰセット設定部１０２、サービングセル設定部１０３、セル選択部１０４及び系列情報算出部１０６を備えている。
【００２０】
ＣｏＭＰセット設定部１０２は、ＣｏＭＰセット内の全てのセルのセルＩＤを記憶しており、記憶している全てのセルのセルＩＤをセル選択部１０４に出力する。
【００２１】
サービングセル設定部１０３は、自端末宛の制御情報を送信するセル、すなわち、サービングセルのセルＩＤをセル選択部１０４に出力する。
【００２２】
セル選択部１０４は、ＣｏＭＰセット設定部１０２から出力されたセルＩＤと、サービングセル設定部１０３から出力されたサービングセルのセルＩＤに基づいて、ＣｏＭＰセット内のセルのうち、サービングセル以外のセルのセルＩＤを選択する。例えば、ＣｏＭＰセットのセルＩＤの中で、サービングセルのセルＩＤに最も番号が近い（あるいは、遠い）セルＩＤを選択するなど、予め端末と基地局間で所定のルールを決めておく。そして、選択したセルで使うＤＭ−ＲＳ用系列グループ番号を導出可能な情報を系列情報算出部１０６に出力する。例えば、系列グループ番号がセルＩＤと一意に対応付けられる場合は、選択したセルのセルＩＤを出力する。セルＩＤの他にセル固有のパラメータを使って系列グループ番号を導出する場合は、セルＩＤとそのパラメータを出力する。
【００２３】
送信帯域幅設定部１０５は、ＤＭ−ＲＳの送信帯域幅を記憶しており、記憶しているＤＭ−ＲＳの送信帯域幅を系列情報算出部１０６に出力する。
【００２４】
系列情報算出部１０６は、送信帯域幅設定部１０５から出力されたＤＭ−ＲＳの送信帯域幅と、セル選択部１０４から出力されたＤＭ−ＲＳ用系列グループ番号を導出可能な情報とに基づいて、ＣｏＭＰ端末用ＤＭ−ＲＳとして用いる系列の系列番号と系列長を算出する。系列情報算出部１０６は、まず、セル選択部１０４から出力された情報に基づいて、系列グループ番号を導出する。続いて、導出した系列グループの中から送信帯域幅に応じた系列番号を求める。そして、送信帯域幅のサブキャリア数に対応した系列長を算出する。求められた系列番号と系列長はＺＣ系列生成部１０７に出力される。
【００２５】
ＺＣ系列生成部１０７は、系列情報算出部１０６から出力された系列番号と系列長とを用いて、ＺＣ系列を生成し、ウォルシュ系列乗算部１０８に出力する。
【００２６】
ウォルシュ系列乗算部１０８は、図２に示したように、系列長２のウォルシュ系列をスロット１，２のＤＭ−ＲＳ用ＺＣ系列に乗算し、マッピング部１０９に出力する。
【００２７】
マッピング部１０９は、ウォルシュ系列乗算部１０８から出力されたＺＣ系列を自端末の送信帯域にマッピングし、ＩＦＦＴ（Inverse Fast Fourier Transform）部１１０に出力する。
【００２８】
ＩＦＦＴ部１１０は、マッピング部１０９から出力されたＺＣ系列にＩＦＦＴ処理を施し、ＩＦＦＴ処理が施されたＺＣ系列をＣＰ付加部１１１に出力する。
【００２９】
ＣＰ付加部１１１は、ＩＦＦＴ部１１０から出力された信号のフレーム後尾部分と同じ信号をＣＰ（Cyclic Prefix）として当該フレーム先頭に付加し、送信ＲＦ部１１２に出力する。
【００３０】
送信ＲＦ部１１２は、ＣＰ付加部１１１から出力された信号にＤ／Ａ変換、アップコンバート、増幅等の送信処理を施し、送信処理が施された信号をＤＭ−ＲＳとして、アンテナ１１３を介して送信する。
【００３１】
図４は、本発明の実施の形態１に係る基地局の構成を示すブロック図である。この図において、受信ＲＦ部２０２は、アンテナ２０１を介して受信した信号にダウンコンバート、Ａ／Ｄ変換等の受信処理を施し、受信処理が施された信号をＣＰ除去部２０３に出力する。
【００３２】
ＣＰ除去部２０３は、受信ＲＦ部２０２から出力された信号に含まれるＣＰを除去し、ＣＰを除去した信号を分離部２０４に出力する。
【００３３】
分離部２０４は、ＣＰ除去部２０３から出力された信号をＤＭ−ＲＳ信号とデータ信号とに分離し、分離したＤＭ−ＲＳをＦＦＴ（Fast Fourier Transform）部２０５に出力し、データ信号をＦＦＴ部２１５に出力する。
【００３４】
ＦＦＴ部２０５は、分離部２０４から出力された時間領域のＤＭ−ＲＳ信号にＦＦＴ処理を施して周波数領域の信号に変換し、周波数領域に変換したＤＭ−ＲＳ信号をデマッピング部２０６に出力する。
【００３５】
デマッピング部２０６は、ＦＦＴ部２０５から出力された周波数領域のＤＭ−ＲＳ信号から所望端末の送信帯域に対応するＤＭ−ＲＳ信号を抽出し、抽出したＤＭ−ＲＳ信号をウォルシュ系列乗算部２０７に出力する。
【００３６】
ウォルシュ系列乗算部２０７は、端末側と同じ系列長２のウォルシュ系列をスロット１，２のＤＭ−ＲＳに乗算し、２つのＤＭ−ＲＳ信号を同相加算する。同相加算されたＤＭ−ＲＳ信号は除算部２１１に出力される。
【００３７】
送信帯域幅設定部２０８は、ＤＭ−ＲＳの送信帯域幅を記憶しており、記憶しているＤＭ−ＲＳの送信帯域幅を系列情報設定部２０９に出力する。
【００３８】
系列情報設定部２０９は、図３に示した端末の系列情報設定部１０１と同一であり、ＣｏＭＰセット設定部１０２、サービングセル設定部１０３、セル選択部１０４及び系列情報算出部１０６を備えている。ここでは、説明が重複するのでこれらの詳細な説明は省略する。
【００３９】
ＺＣ系列生成部２１０は、系列情報設定部２０９から出力された系列番号と系列長とを用いて、ＺＣ系列を生成し、除算部２１１に出力する。
【００４０】
除算部２１１は、ウォルシュ系列乗算部２０７から出力されたＤＭ−ＲＳ信号を、ＺＣ系列生成部２１０から出力された端末が実際に送信したＺＣ系列で除算し、除算結果をＩＦＦＴ部２１２に出力する。
【００４１】
ＩＦＦＴ部２１２は、除算部２１１から出力された除算結果にＩＦＦＴ処理を施し、ＩＦＦＴ処理が施された信号をマスク処理部２１３に出力する。
【００４２】
マスク処理部２１３は、ＩＦＦＴ部２１２から出力されたＤＭ−ＲＳ信号にマスク処理を施すことにより、所望の巡回シフト系列の相関値が存在する区間、すなわち、ウィンドウ部分の相関値を抽出し、抽出した相関値をＤＦＴ（Discrete Fourier Transform）部２１４に出力する。
【００４３】
ＤＦＴ部２１４は、マスク処理部２１３から出力された相関値にＤＦＴ処理を施し、ＤＦＴ処理が施された相関値を周波数領域等化部２１７に出力する。ここで、ＤＦＴ部２１４が出力する信号は伝搬路の周波数応答を表す信号である。
【００４４】
ＦＦＴ部２１５は、分離部２０４から出力された時間領域のデータ信号にＦＦＴ処理を施して周波数領域に変換し、周波数領域に変換したデータ信号をデマッピング部２１６に出力する。
【００４５】
デマッピング部２１６は、ＦＦＴ部２１５から出力されたデータ信号から所望端末の送信帯域に対応するデータ信号を抽出し、抽出したデータ信号を周波数領域等化部２１７に出力する。
【００４６】
周波数領域等化部２１７は、ＤＦＴ部２１４から出力された伝搬路の周波数応答を表す信号を用いて、デマッピング部２１６から出力されたデータ信号に対し等化処理を施し、等化処理が施された信号をＩＦＦＴ部２１８に出力する。
【００４７】
ＩＦＦＴ部２１８は、周波数領域等化部２１７から出力されたデータ信号にＩＦＦＴ処理を施し、ＩＦＦＴ処理が施された信号を復調部２１９に出力する。
【００４８】
復調部２１９は、ＩＦＦＴ部２１８から出力された信号に復調処理を施し、復調処理が施された信号を復号部２２０に出力する。
【００４９】
復号部２２０は、復調部２１９から出力された信号に復号処理を施し、受信データを抽出する。
【００５０】
次に、図３及び図４に示した系列情報設定部１０１（２０９）の動作について図５を用いて説明する。図５において、ステップ（以下、「ＳＴ」と省略する）３０１では、ＣｏＭＰセット設定部１０２がＣｏＭＰセット内の全てのセルのセルＩＤをセル選択部１０４に設定し、ＳＴ３０２では、サービングセル設定部１０３がサービングセルのセルＩＤをセル選択部１０４に設定する。
【００５１】
ＳＴ３０３では、セル選択部１０４がサービングセルのセルＩＤに最も番号の近いセルＩＤを選択し、ＳＴ３０４では、送信帯域幅設定部１０５がＤＭ−ＲＳの送信帯域幅を系列情報算出部１０６に設定する。
【００５２】
ＳＴ３０５では、系列情報算出部１０６が選択されたセルＩＤから系列グループ番号を導出し、ＳＴ３０６では、導出した系列グループ番号と設定された送信帯域幅とから系列番号が系列情報算出部１０６によって算出される。
【００５３】
このように、系列情報設定部１０１は、ＣｏＭＰセット内のセルのうち、サービングセル以外のセルが使う系列番号を求め、この系列をＣｏＭＰ端末用ＤＭ−ＲＳとして設定する。ここで、サービングセルは、制御情報の受信性能を確保するため、一般的には、端末の送信点とセルの受信点間で生じるパスロス（あるいは距離）が最も小さいセルを選択する。よって、サービングセルと同じ系列をＤＭ−ＲＳとして用いて、ウォルシュ系列の直交性が崩れた場合、最も受信レベルが大きい干渉源となる。そこで、本実施の形態では、サービングセル以外のセルで使う系列を選択することにより、この最も大きい干渉の発生を防止することができる。
【００５４】
なお、ＣｏＭＰ端末は、受信品質情報の報告等の目的でＣｏＭＰセット内のセルＩＤを把握しているため、セルＩＤと系列グループ番号（または系列番号）が一意に対応する場合は、ＣｏＭＰ端末用ＤＭ−ＲＳの系列グループ番号又は系列番号を新たに通知する必要がない。同様に、基地局からＣｏＭＰ端末へ系列グループ番号をシグナリングする必要もない。
【００５５】
また、サービングセル以外のセルが複数存在する場合、上述したように、ＣｏＭＰセットのセルＩＤの中で、サービングセルのセルＩＤに番号が最も近い、又は最も遠いセルＩＤを選択したり、サービングセル以外の全てのセルＩＤの中で、番号が最小値又は最大値となるセルＩＤを選択したりするなど、端末と基地局間で予め所定のルールを決めて、一意に１つのセルを選択できるようにする。
【００５６】
また、ＣｏＭＰセット内で使う系列を選択することにより、同じ系列を使うセルの距離を従来（ＬＴＥシステム）と同等にでき、従来の端末（Ｎｏｎ−ＣｏＭＰ端末）の性能劣化を防止することができる。一方、ＣｏＭＰセット外のセルで使う系列をＣｏＭＰ端末が使う場合、同じ系列を使うセルの距離が、ＣｏＭＰ端末が存在しない従来システムに比べて、より小さくなるのでセル間干渉が増加してしまう。
【００５７】
このように実施の形態１によれば、ＣｏＭＰ端末が、ＣｏＭＰセット内のセルのうち、サービングセル以外のセルが使う系列を選択することにより、ウォルシュ系列の直交性が崩れることによって生じる、ＣｏＭＰ端末とＮｏｎ−ＣｏＭＰ端末のＤＭ−ＲＳの符号間干渉を低減することができる。よって、ＣｏＭＰ端末とＮｏｎ−ＣｏＭＰ端末のＭＵ−ＭＩＭＯにおける受信性能の劣化を低減することができる。
【００５８】
（実施の形態２）
図６は、本発明の実施の形態２に係る端末の構成を示すブロック図である。図６が図３と異なる点は、ＣｏＭＰセット設定部１０２をＣｏＭＰセット設定部４０１に変更し、サービングセル設定部１０３をＣｏＭＰサブセット設定部４０２に変更し、セル選択部１０４をセル選択部４０３に変更した点である。
【００５９】
ＣｏＭＰセット設定部４０２は、ＣｏＭＰセットとして、端末の各リンクの受信品質を報告させるセルのグループ（ＣｏＭＰメジャメントセット（CoMP Measurement Set））内の全てのセルＩＤを記憶しており、記憶している全てのセルＩＤをセル選択部４０３に出力する。なお、ここでは、ＣｏＭＰセットをＣｏＭＰメジャメントセットとする。
【００６０】
ＣｏＭＰサブセット設定部４０２は、ＣｏＭＰセットのうち実際にデータを送受信するセル（ＣｏＭＰトランスミッションポイント（CoMP transmission Point(s)））のグループをＣｏＭＰサブセットとして記憶しており、ＣｏＭＰセット設定部４０２で設定するＣｏＭＰセットのサブセットとなるセルのセルＩＤをセル選択部４０３に出力する。なお、ＣｏＭＰサブセットは、ＣｏＭＰ端末と基地局とのパスロスに基づいて選択されるものとする。
【００６１】
セル選択部４０３は、ＣｏＭＰセット設定部４０１から出力されたＣｏＭＰメジャメントセットの各セルのセルＩＤと、ＣｏＭＰサブセット設定部４０２から出力されたＣｏＭＰサブセットの各セルのセルＩＤに基づいて、ＣｏＭＰメジャメントセットに含まれ、かつ、ＣｏＭＰトランスミッションポイントに含まれないセルを選択する。すなわち、セル選択部４０３は、ＣｏＭＰメジャメントセットのうち、パスロスが小さいセルを選択する。選択されたセルで使うＤＭ−ＲＳ用系列グループ番号を導出可能な情報が系列情報算出部１０６に出力される。
【００６２】
なお、本発明の実施の形態２に係る基地局の構成は、実施の形態１の図４に示した構成において、系列情報設定部２０９を図６に示した系列情報設定部４００に置き換えたものであるため、その詳細な説明は省略する。
【００６３】
次に、図６に示した系列情報設定部４００の動作について図７を用いて説明する。ただし、図７が図５と共通する部分には図５と同一の符号を付し、重複する説明は省略する。図７において、ＳＴ５０１では、ＣｏＭＰセット設定部４０１がＣｏＭＰメジャメントセット内の全てのセルのセルＩＤをセル選択部４０３に設定し、ＳＴ５０２では、ＣｏＭＰサブセット設定部４０２がＣｏＭＰサブセットのセルのセルＩＤをセル選択部４０３に設定する。
【００６４】
ＳＴ５０３では、セル選択部４０３がＣｏＭＰメジャメントセットに含まれ、かつ、ＣｏＭＰサブセットに含まれないセルを選択し、ＳＴ５０４では、ＳＴ５０３において選択されたセルＩＤが１つか否かがセル選択部４０３によって判定される。選択されたセルが１つの場合（ＹＥＳ）ＳＴ３０４に移行し、選択されたセルが１つではない場合（ＮＯ）ＳＴ５０５に移行する。
【００６５】
ＳＴ５０５では、ＳＴ５０３において選択されたセルＩＤが０である否かがセル選択部４０３によって判定され、選択されたセルＩＤが０である場合（ＹＥＳ）ＳＴ３０３に移行し、選択されたセルが０ではない場合（ＮＯ）ＳＴ５０６に移行する。
【００６６】
ＳＴ５０６では、ＳＴ５０３において選択されたセルＩＤの中で最小のセルＩＤがセル選択部４０３によって選択される。
【００６７】
ここで、セル選択部４０３がセルＩＤを選択する様子について図８を用いて具体的に説明する。図８では、ＣｏＭＰメジャメントセットをセル１〜３とし、ＣｏＭＰサブセットをセル１，２とする。セル選択部４０３は、ＣｏＭＰメジャメントセットに含まれ、かつ、ＣｏＭＰサブセットに含まれないセルを選択するため、セル３を選択することになる。これにより、パスロスがより大きいセルで使う系列をＣｏＭＰ端末用ＤＭ−ＲＳとして用いることができる。
【００６８】
このように実施の形態２によれば、ＣｏＭＰ端末が、ＣｏＭＰメジャメントセットに含まれ、かつ、ＣｏＭＰサブセットに含まれないセルを選択することにより、ウォルシュ系列の直交性が崩れることによって生じる、ＣｏＭＰ端末とＮｏｎ−ＣｏＭＰ端末のＤＭ−ＲＳの符号間干渉をより確実に低減することができる。また、実施の形態１に比べ、端末間の符号間干渉を低減する系列をより確実に選択できるので、ＣｏＭＰ端末とＮｏｎ−ＣｏＭＰ端末のＭＵ−ＭＩＭＯにおける受信性能の劣化を確実に低減することができる。
【００６９】
なお、図８では、ＣｏＭＰサブセットは下りデータを送信するセルを定義したが、上りデータを受信するセルをＣｏＭＰサブセットとして定義してもよい。
【００７０】
また、ＣｏＭＰセットとＣｏＭＰサブセットのセル数を次式（１）のように定義すれば、実施の形態２において、選択するべきセル１つを一意に求めることができる。
（ＣｏＭＰセット内のセル数）＝（ＣｏＭＰサブセットのセル数）＋１…（１）
【００７１】
（実施の形態３）
実施の形態２では、ＣｏＭＰサブセットを構成するセルが、ＣｏＭＰ端末と基地局とのパスロスに基づいて選択されることを前提として説明したが、ＣｏＭＰサブセットを構成するセルが、各セルのトラフィックを均等にするなど、負荷分散を目的として選択されることも考えられる。そこで、本発明の実施の形態３では、ＣｏＭＰサブセットを構成するセルが、ＣｏＭＰ端末と基地局とのパスロスに基づいて選択されるか否かにかかわらず、ＣｏＭＰ端末とＮｏｎ−ＣｏＭＰ端末のＤＭ−ＲＳの符号間干渉をより確実に低減する場合について説明する。
【００７２】
図９は、本発明の実施の形態３に係る端末の構成を示すブロック図である。図９が図３と異なる点は、ＣｏＭＰセット設定部１０２をＣｏＭＰセット設定部６０１に変更し、サービングセル設定部１０３をパスロス情報設定部６０２に変更し、セル選択部１０４をセル選択部６０３に変更した点である。
【００７３】
ＣｏＭＰセット設定部６０１は、ＣｏＭＰメジャメントセット内の全てのセルＩＤを記憶しており、記憶している全てのセルＩＤをセル選択部６０３に出力する。なお、ここでは、ＣｏＭＰセットをＣｏＭＰメジャメントセットとする。
【００７４】
パスロス情報設定部６０２は、自端末が基地局へ報告したＣｏＭＰセット内の各セルのパスロス値をセル選択部６０３に出力する。
【００７５】
セル選択部６０３は、ＣｏＭＰセット設定部６０１から出力されたＣｏＭＰセットの各セルのセルＩＤと、パスロス情報設定部６０２から出力された各セルのパスロス値に基づいて、パスロス値が最大のセルを選択する。選択されたセルで使うＤＭ−ＲＳ用系列グループ番号を導出可能な情報が系列情報算出部１０６に出力される。
【００７６】
なお、本発明の実施の形態３に係る基地局の構成は、実施の形態１の図４に示した構成において、系列情報設定部１０１を図９に示した系列情報設定部６００に置き換えたものであるため、その詳細な説明は省略する。
【００７７】
次に、図９に示した系列情報設定部６００の動作について図１０を用いて説明する。ただし、図１０が図５と共通する部分には図５と同一の符号を付し、重複する説明は省略する。図１０において、ＳＴ７０１では、ＣｏＭＰセット設定部６０１がＣｏＭＰメジャメントセット内の全てのセルのセルＩＤをセル選択部６０３に設定し、ＳＴ７０２では、パスロス情報設定部６０２がＣｏＭＰセット内の各セルのパスロス値をセル選択部６０３に設定する。
【００７８】
ＳＴ７０３では、セル選択部６０３がＣｏＭＰメジャメントセットに含まれるセルのうち、パスロス値最大のセルを選択する。
【００７９】
このように、系列情報設定部６００は、端末が基地局へ報告した各リンクのパスロスの中でパスロスが最大のセルで使う系列番号を求め、この系列をＣｏＭＰ端末用ＤＭ−ＲＳとして設定する。ここで、ＣｏＭＰ端末をスケジューリングする基地局は、ＣｏＭＰセット内の端末から報告されたパスロスを把握しているため、端末と基地局で選択する系列番号を一致させることができる。
【００８０】
なお、パスロス値が同一であり、かつ、条件を満たすセルが複数存在する場合は、実施の形態１と同様に、条件を満たすセルのセルＩＤのうち、最小値あるいは最大値となるセルを選択する等、端末と基地局間で予め所定のルールを決めて、一意に１つのセルを選択できるようにする。
【００８１】
このように実施の形態３によれば、ＣｏＭＰ端末が、基地局へ報告した各リンクのパスロスのうち、パスロスが最大のセルが使う系列を選択することにより、ＣｏＭＰサブセットを構成するセルが、セルＣｏＭＰ端末と基地局とのパスロスに基づいて選択されるか否かにかかわらず、パスロスが大きいセルで使う系列をＣｏＭＰ端末用ＤＭ−ＲＳとして用いることできるので、ウォルシュ系列の直交性が崩れることによって生じる、ＣｏＭＰ端末とＮｏｎ−ＣｏＭＰ端末のＤＭ−ＲＳの符号間干渉をより確実に低減することができる。
【００８２】
なお、本実施の形態では、パスロスを例に説明したが、本発明はこれに限らず、ＬＴＥで定義されるＲＳＣＰ（Received Signal Code Power）、ＲＳＲＰ（Reference Signal Received Power）、ＲＳＲＱ（Reference Signal Received Quality）、ＲＳＳＩ（Received Signal Strength Indicator）のような受信品質情報に基づいて系列を選択してもよい。つまり、これらの受信品質が最悪となるセルが使う系列をＣｏＭＰ端末用ＤＭ−ＲＳとして選択することで、本実施の形態と同様の効果が得られる。
【００８３】
なお、上記各実施の形態において、ＣｏＭＰ端末用ＤＭ−ＲＳとして使う系列を、ＭＵ−ＭＩＭＯ時とＳＵ−ＭＩＭＯ時で切り替えてもよい。具体的には、ＭＵ−ＭＩＭＯ時は、実施の形態１〜３の方法で系列を選択する。これにより、ＭＵ−ＭＩＭＯ時の受信性能劣化を防止する。また、ＳＵ−ＭＩＭＯ時は、実施の形態とは異なる方法で系列を選択する。例えば、Ｎｏｎ−ＣｏＭＰ端末と同様に、サービングセルで使う系列を選択する。これにより、Ｎｏｎ−ＣｏＭＰ通信時とＣｏＭＰ通信時で同じ系列を用いることができるので、系列算出のための処理を省略できる。ただし、ＳＵ−ＭＩＭＯ時は異なる端末との符号間干渉が発生しないため、本発明で述べた課題は生じない。
【００８４】
上記各実施の形態では、本発明をハードウェアで構成する場合を例にとって説明したが、本発明はソフトウェアで実現することも可能である。
【００８５】
また、上記各実施の形態の説明に用いた各機能ブロックは、典型的には集積回路であるＬＳＩとして実現される。これらは個別に１チップ化されてもよいし、一部又は全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００８６】
また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８７】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【００８８】
なお、上記実施の形態ではアンテナとして説明したが、本発明はアンテナポート（antenna port）でも同様に適用できる。
【００８９】
アンテナポートとは、１本または複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【００９０】
例えば3GPP LTEにおいては、アンテナポートが何本の物理アンテナから構成されるかは規定されず、基地局が異なる参照信号（Reference signal）を送信できる最小単位として規定されている。
【００９１】
また、アンテナポートはプリコーディングベクトル（Precoding vector）の重み付けを乗算する最小単位として規定されることもある。
【００９２】
２００９年７月１７日出願の特願２００９−１６９２１１の日本出願に含まれる明細書、図面及び要約書の開示内容は、すべて本願に援用される。
【産業上の利用可能性】
【００９３】
本発明にかかる無線通信端末装置及び無線通信方法は、例えば、移動通信システム等に適用できる。
【符号の説明】
【００９４】
１０１、２０９、４００  系列情報設定部
１０２、４０１、６０１  ＣｏＭＰセット設定部
１０３  サービングセル設定部
１０４、４０３、６０３  セル選択部
１０５、２０８  送信帯域幅設定部
１０６  系列情報算出部
１０７、２１０  ＺＣ系列生成部
１０８、２０７  ウォルシュ系列乗算部
１０９  マッピング部
１１０、２１２、２１８  ＩＦＦＴ部
１１１  ＣＰ付加部
１１２  送信ＲＦ部
１１３、２０１  アンテナ
２０２  受信ＲＦ部
２０３  ＣＰ除去部
２０４  分離部
２０５、２１５  ＦＦＴ部
２０６、２１６  デマッピング部
２１１  除算部
２１３  マスク処理部
２１４  ＤＦＴ部
２１７  周波数領域等化部
２１９  復調部
２２０  復号部
４０２  ＣｏＭＰサブセット設定部
６０２  パスロス情報設定部
【図１】
0005520299.tif 000002
【図２】
0005520299.tif 000003
【図３】
0005520299.tif 000004
【図４】
0005520299.tif 000005
【図５】
0005520299.tif 000006
【図６】
0005520299.tif 000007
【図７】
0005520299.tif 000008
【図８】
0005520299.tif 000009
【図９】
0005520299.tif 000010
【図１０】
0005520299.tif 000011